(57)【要約】      （修正有）【課題】吸気口からの吸気を妨げることなく、画像投写装置内部への水滴の進入を抑制することができる防滴装置および画像投写装置を提供する。【解決手段】防滴装置９０は、プロジェクタ１の吸気口８４ａを塞ぐようにして、プロジェクタ１に取り付けられている。防滴装置９０の筐体９４内には、吸気口８４ａに向かうに連れて断面積が狭くなるような集滴筒９３が設けられている。集滴筒９３の空気取入口９７側の開口と対向するように、集滴筒９３の内周面に空気を導く導風手段としての４つの風車９２が設けられている。【選択図】図８
2018157442.tif 000002
【特許請求の範囲】
【請求項１】
画像投写装置の吸気口へ向かう空気が流入する流入口および前記流入口から流入した空気を前記吸気口へ向けて流出させる流出口を有し、前記吸気口へ向かう空気とともに移動する水滴を捉える集滴筒と、
前記流入口から流入する空気を、前記集滴筒の内周面に導く導風手段とを備え、
前記集滴筒の前記流出口を、前記吸気口と対向するように前記画像投写装置に対して着脱可能なことを特徴とする防滴装置。
【請求項２】
請求項１に記載の防滴装置において、
前記導風手段は、前記吸気口へ流れる気流により回転する風車であることを特徴とする防滴装置。
【請求項３】
請求項２に記載の防滴装置において、
前記風車よりも空気の流れ方向上流側に前記風車をガードするガード部を設けたことを特徴とする防滴装置。
【請求項４】
請求項１乃至３いずれか一項に記載の防滴装置において、
前記集滴筒は、前記吸気口に向かうに連れて、前記吸気口と平行な断面積が狭くなることを特徴とする防滴装置。
【請求項５】
請求項１乃至４いずれか一項に記載の防滴装置において、
前記集滴筒の下部に排水口を設けたことを特徴とする防滴装置。
【請求項６】
請求項１乃至５いずれか一項に記載の防滴装置において、
前記導風手段と前記吸気口との間に、空気を通す開口部を備えた防滴板を設けたことを特徴とする防滴装置。
【請求項７】
吸気口を備え、前記吸気口から取り込んだ空気を、装置内部に流して装置内部を空冷する画像投写装置において、
請求項１乃至６いずれか一項に記載の防滴装置を有することを特徴とする画像投写装置。
【発明の詳細な説明】
【技術分野】
【０００１】
本発明は、防滴装置および画像投写装置に関するものである。
【背景技術】
【０００２】
従来から、吸気口と排気口とを備え、吸気口から取り込んだ空気を、装置内部の光源などの発熱源に流して空冷する画像投写装置が知られている。
【０００３】
特許文献１には、上記画像投写装置として、半屋外などに画像投写装置が設置された場合において、吸気口から装置内部へ砂塵などが入り込まないように、吸気口に防塵フィルタを設けたものが記載されている。
【発明の概要】
【発明が解決しようとする課題】
【０００４】
しかしながら、雨天時に上記画像投写装置を半屋外などに設置した場合、吸気口から水滴たる雨滴が装置内部へ進入するおそれがあった。
【課題を解決するための手段】
【０００５】
上記課題を解決するために、本発明は、防滴装置であって、画像投写装置の吸気口へ向かう空気が流入する流入口および前記流入口から流入した空気を前記吸気口へ向けて流出させる流出口を有し、前記吸気口へ向かう空気とともに移動する水滴を捉える集滴筒と、前記流入口から流入する空気を、前記集滴筒の内周面に導く導風手段とを備え、前記集滴筒の前記流出口を、前記吸気口と対向するように前記画像投写装置に対して着脱可能なことを特徴とするものである。
【発明の効果】
【０００６】
本発明によれば、吸気口からの吸気を妨げることなく、画像投写装置内部への水滴の進入を抑制することができる。
【図面の簡単な説明】
【０００７】
【図１】本実施形態に係るプロジェクタと投写面とを示す斜視図。
【図２】プロジェクタの内部を説明する斜視図。
【図３】光学エンジン１４と、光源装置６０とを示す斜視図
【図４】照明装置内での光路を説明する図。
【図５】光学エンジンを示す斜視図。
【図６】投写光学装置が備える光学部品について説明する図。
【図７】防滴装置を吸気口に取り付けたプロジェクタを示す斜視図。
【図８】Ｙ方向（上下方向）と直交する方向に切った防滴装置の概略断面図。
【図９】（ａ）は、Ｚ方向と直交する方向に切った防滴装置の概略断面図であり、（ｂ）は、Ｘ方向と直交する方向に切った防滴装置の概略断面図。
【図１０】防滴装置内の空気の流れを示す図。
【図１１】防滴装置内に進入した雨滴の移動について説明する図。
【図１２】風車と吸気口との間に、格子状の防滴板を設けた防滴装置の概略構成図。
【発明を実施するための形態】
【０００８】
以下、本発明が適用される画像投写装置としてのプロジェクタの実施形態について説明する。
図１は、本実施形態に係るプロジェクタ１とスクリーンなどの投写面１０１とを示す斜視図である。プロジェクタ１として短焦点型を例として説明する。なお、以下の説明では、投写面１０１の法線方向をＸ方向、投写面の短軸方向（上下方向）をＹ方向、投写面１０１の長軸方向（水平方向）をＺ方向とする。
【０００９】
図１に示すように、プロジェクタ１の上面には、投写画像Ｐが出射する透過ガラス１１が設けられており、透過ガラス１１から出射した投写画像Ｐが、スクリーンなどの投写面１０１に投写される。また、プロジェクタ１の上面には、ユーザがプロジェクタ１を操作するための操作部１２が設けられている。また、プロジェクタ１のスクリーン側と反対側の側面には、ピント調整のためのフォーカスレバー１３が設けられている。
【００１０】
また、プロジェクタ１の図中手前側の側面（＋Ｚ側）には、装置外の空気を吸気するための格子状に開口した吸気口８４ａが設けられている。また、図中奥側の側面（−Ｚ側）の側面には、排気口が設けられている。吸気口８４ａから取り入れられた外気は、装置内の光源や電源装置を冷却した後、排気口から排出される。
【００１１】
図２は、プロジェクタ１の内部を説明する斜視図であり、（ａ）は図１の矢印Ａから見た斜視図、（ｂ）は図１の矢印Ｂから見た斜視図である。
図２（ａ）、（ｂ）に示すように、プロジェクタ１の上方側には、光学エンジン１４とＰＦＣ（Power Factor Correction）電源基板装置１５とが配置されている。図２（ａ）に示すように、光学エンジン１４の下方にはプリンタ回路基板１６が配置され、ＰＦＣ電源基板装置１５の下方には光源装置の光源に安定して電力を供給するバラスト電源装置１７が配置されている。さらには、図２（ｂ）に示すように、ＰＦＣ電源基板装置１５の下方には、高圧水銀ランプ、レーザ及びＬＥＤなどの光源を備えた光源装置６０が配置されている。
【００１２】
図３は、光学エンジン１４と、光源装置６０とを示す斜視図である。
図３に示すように、光学エンジン１４は、画像生成装置１０、照明装置２０、投写光学装置４０を備えており、それらが投写面１０１及び投写像の像面と平行な方向のうち図中Ｙ方向に並べて配置されている。また、光学エンジン１４の照明装置２０の図中右側には、光源装置６０が配置されている。光源装置６０は、光源６１を有し、光源６１は、光源ホルダ６２と光源ブラケット６３とにより保持されている。
【００１３】
照明装置２０は、光源６１から照射された光を、下部に設けられている画像生成装置１０に導く。画像生成装置１０は、照明装置２０によって導かれた光を用いて投写画像を生成する。投写光学装置４０は、照明装置２０の上部に設けられ、画像生成装置１０によって生成された投写画像をプロジェクタ１の外部に投写する。
【００１４】
図４は、照明装置２０内での光路を説明する図である。
図４に示すように、照明装置２０は、カラーホイール２１、ライトトンネル２２、２枚のリレーレンズ２３、シリンダミラー２４、凹面ミラー２５を有する。
カラーホイール２１は、回転方向にＲ（レッド）、Ｇ（グリーン）、Ｂ（ブルー）などのフィルタが設けられた円盤形状のフィルタ部材２１ａと、フィルタ部材２１ａを高速で回転させるカラーモータ２１ｂとで構成されている。光源のリフレクタにより集光された白色光は、出射窓を通って、カラーホイール２１のフィルタ部材２１ａの周端部に到達する。フィルタ部材２１ａの周端部に到達した白色光は、フィルタ部材２１ａの回転により時分割でＲ、Ｇ，Ｂの光に分離される。
【００１５】
カラーホイール２１により分離された光は、ライトトンネル２２へ入射する。ライトトンネル２２は、四角筒形状であり、その内周面が鏡面となっている。ライトトンネル２２に入射した光は、ライトトンネル２２内周面で複数回反射しながら、均一な面光源にされて光の軸上色収差を補正しつつ集光するリレーレンズ２３へ向けて出射する。
【００１６】
ライトトンネル２２を抜けた光は、２枚のリレーレンズ２３を透過し、シリンダミラー２４、凹面ミラー２５により反射され、画像生成装置１０に設けられた微小駆動ミラー装置であるＤＭＤ（Digital Micro-mirror Device）２６の画像生成面上に集光して結像される。
【００１７】
ＤＭＤ２６の画像生成面には、可動式の複数のマイクロミラーが格子状に配列されている。各マイクロミラーは、鏡面をねじれ軸周りに所定角度傾斜させることができ、「ＯＮ」と「ＯＦＦ」の２つの状態を持たせることができる。マイクロミラーが「ＯＮ」のときは、図の矢印Ｌ２に示すように、光源からの光を投写レンズに向けて反射する。「ＯＦＦ」のときは、図の矢印Ｌ１に示すように、照明装置２０に設けられたＯＦＦ光板２７（図５参照）に向けて光源からの光を反射する。従って、各ミラーを個別に駆動することにより、画像データの画素ごとに光の投写を制御することができ、画像を生成することができる。
【００１８】
図５は、光学エンジン１４を示す斜視図であり、図６は、投写光学装置４０が備える光学部品について説明する図である。
投写光学装置４０は、投写レンズ装置４１、平面ミラーである折り返しミラー４２、曲面ミラー４３、および防塵ガラス４４を備えている。投写レンズ装置４１は、複数の投写レンズを有し、画像生成装置１０のＤＭＤ２６によって生成された投写画像を、折り返しミラー４２に結像させる。折り返しミラー４２及び曲面ミラー４３は、結像された投写画像を拡大するように反射して、防塵ガラス４４を透過してプロジェクタ１の外部のスクリーン等に投写する。
【００１９】
図５に示すように、折り返しミラー４２と防塵ガラス４４は、ミラーブラケット４７に保持されている。曲面ミラー４３は、自由ミラーブラケット４８に保持されている。防塵ガラス４４は、ミラーブラケット４７の上部開口を塞ぐようにしてミラーブラケット４７に設けられ、Ｚ方向両端が、板バネ状のガラス押さえ部材４５により上部開口の縁面に位置決め固定されている。
【００２０】
折り返しミラー４２は、ミラーブラケット４７の図５の手前側の傾斜した傾斜側面に設けられた開口を塞ぐようにミラーブラケット４７に設けられ、板バネ状のミラー押さえ部材４６により傾斜側面に位置決め固定されている。
【００２１】
曲面ミラー４３は、上端部の略中央が、板バネ状の自由ミラー押さえ部材４９により自由ミラーブラケット４８に押し付けられ、下側のＸ方向両端が、ネジにより自由ミラーブラケット４８に固定されている。自由ミラーブラケット４８は、曲面ミラー４３が、ミラーブラケット４７の図中奥側の開口を塞ぐように自由ミラーブラケット４８に取り付けられている。
【００２２】
雨天時に半屋外なのでプロジェクタ１を使用したとき、先の図１に示す吸気口８４ａから空気ともに雨滴が装置内部へ進入するおそれがある。雨滴などの水滴が装置内部へ進入すると、装置内部の金属部品が錆びてしまう不具合が発生する。また、照明装置２０や投写光学装置４０の構成によっては、曲面ミラー４３やリレーレンズ等の光学部品に水滴が付着し、投写画像に影響を与えるおそれもある。
【００２３】
そこで、本実施形態のプロジェクタ１においては、雨天時に半屋外なのでプロジェクタ１を使用するときは、防滴装置を取り付けて、吸気口８４ａからの雨滴の進入を抑制している。以下、図面を用いて説明する。
【００２４】
図７は、防滴装置９０を吸気口８４ａに取り付けたプロジェクタ１を示す斜視図であり、図８は、Ｙ方向（上下方向）と直交する方向に切った防滴装置９０の概略断面図である。また、図９（ａ）は、Ｚ方向と直交する方向に切った防滴装置９０の概略断面図であり、図９（ｂ）は、Ｘ方向と直交する方向に切った防滴装置９０の概略断面図である。
【００２５】
図８や図９（ｂ）に示すように、プロジェクタ１には、吸気口８４ａと対向して集塵フィルタ８４ｂが設けられている。これにより、半屋外にプロジェクタ１を設置したとき、吸気口８４ａへ空気とともに進入してきた砂埃などを集塵フィルタ８４ｂにより捕らえることができ、砂埃などが、プロジェクタ１の内部へ進入するのを防止することができる。また、この集塵フィルタ８４ｂと対向するように、吸気ファン８４ｃが設けられている。吸気ファン８４ｃにより、プロジェクタ外部の空気を吸気口８４ａから取り込む。取り込んだ空気を、光源６１などの発熱源へ流してプロジェクタ１内部の発熱源を空冷する。本実施形態では、集塵フィルタ８４ｂを挟んで吸気口８４ａと対向して設けられた吸気ファン８４ｃにより、吸気口８４ａから空気を取り込んでいるが、排気口に対向して設けられ、排気口からプロジェクタ内の空気を排気する排気ファンにより、吸気口８４ａから空気を取り込んでもよい。
【００２６】
防滴装置９０は、図７に示すように、プロジェクタ１の吸気口８４ａを塞ぐようにして、プロジェクタ１に取り付けられている。防滴装置９０の筐体９４は、プロジェクタ１の吸気口８４ａへ流す空気を取り入れる空気取入口９７と、この空気取入口９７から取り入れられた空気を吸気口８４ａへ流す流出口９６（図８参照）とを有している。空気取入口９７には、空気取入口９７から、小石などの固形物の進入を防ぐ格子状のガード部９１が設けられている。筐体９４の流出口９６が吸気口８４ａと対向するように、防滴装置９０は、プロジェクタ１に取り付けられる。
【００２７】
また、防滴装置９０の筐体９４内には、吸気口８４ａに向かうに連れて断面積が狭くなるような集滴筒９３が設けられている。本実施形態では、集滴筒９３は、ドーム状（半球状）であり、空気取入口９７側に、排水口９３ａを有している。排水口９３ａは、図９（ａ），図９（ｂ）に示すように、筐体９４の外部に連通している。
【００２８】
また、防滴装置９０は、集滴筒９３の空気取入口９７側の開口と対向するように、集滴筒９３の内周面に空気を導く導風手段としての４つの風車９２が設けられている。かかる風車９２は、空気取入口９７から入り込み、吸気口８４ａへ向かう空気の流れにより回転するものである。
【００２９】
図１０は、防滴装置９０内の空気の流れを示す図であり、図１１は、防滴装置９０内に進入した雨滴の移動について説明する図である。
プロジェクタ１の吸気ファン８４ｃの吸気により、防滴装置９０の空気取入口９７から外気が取り込まれ、吸気口８４ａへ向けて流れる。この吸気口８４ａへ向かう流れにより風車９２が回転する。風車９２が回転することにより、取り込まれた空気が風車９２の羽根に当たり遠心力により、外側へ飛ばされる。これにより、風車９２を通過した空気は、集滴筒９３の内周面へ向かう。また、外気とともに、防滴装置９０に取り込まれた雨滴も回転する風車９２の羽根に当たり、遠心力により、外側へ飛ばされる。よって、雨滴も集滴筒９３の内周面へ向かい、集滴筒９３の内周面に付着する。内周面に付着した雨滴は、図１１に示すように、集滴筒９３の最下部に設けられた排水口９３ａへ向かって集滴筒９３の内周面を流れ落ち、排水口９３ａから防滴装置９０の外へ排水される。一方、風車９２により集滴筒９３の内周面へ向かった空気は、図１０に示すように集滴筒９３の内周面に沿って、吸気口８４ａへ向かって流れ、吸気口８４ａからプロジェクタ１の内部へ取り込まれる。
【００３０】
このように、本実施形態の防滴装置９０は、吸気ファン８４ｃによる吸気口８４ａからの空気の取り入れは妨がず、雨滴の吸気口８４ａからの進入は、抑制することができる。これにより、装置内の光源などの発熱源の空冷を良好に行うことができ、かつ、装置内への雨滴の進入を抑制することができる。よって、装置内の金属部品に錆びが発生したり、光学部品に雨滴が付着して投写画像を乱したりする不具合を抑制することができる。
【００３１】
また、本実施形態においては、集滴筒９３を半球状にして、吸気口８４ａに向かうに連れて、断面積が減少する形状となっている。これにより、風車９２の羽根により外側へ飛ばされた雨滴を、良好に集滴筒９３の内周面で捕らえることができ、集滴筒９３の内周面に雨滴を付着させることができる。
【００３２】
また、本実施形態においては、空気取入口９７に、小石などの固形物の進入を防ぐ格子状のガード部９１を設けているので、小石などの固形物が、風車９２の羽根に当たるのを防止することができ、風車９２が破損するのを抑制することができる。
【００３３】
また、本実施形態では、排水口９３ａから排水された雨滴は、防滴装置９０の外部に排出される構成であるが、防滴装置９０に排水タンクを設け、排水口９３ａから排水された雨滴を、排水タンクに貯めるようにしてもよい。また、集滴筒９３の内周面の最下部に吸水パッドを設けて、この吸水パッドに、集滴筒９３の内周面を流れ落ちてきた水滴を吸収させてもよい。
【００３４】
図１２は、風車９２と吸気口８４ａとの間に、格子状の防滴板９５を設けた防滴装置９０の概略構成図である。
空気取入口９７の中央付近から進入した雨滴は、集滴筒９３の内周面から離れているため、風車９２により集滴筒９３の内周面へ向けて弾き飛ばしても、弾き飛ばされた方向などによっては、集滴筒９３の内周面に到達する前に吸気口８４ａに到達してしまうおそれがある。
よって、この図１２に示す構成は、風車９２と吸気口８４ａとの間に、格子状の防滴板９５を設けて、風車９２を通過した雨滴を、この防滴板９５の桟に付着させるようにした。これにより、集滴筒９３の内周面に到達する前に吸気口８４ａに到達してしまうおそれがある雨滴を、防滴板９５の桟で捕らえることができ、吸気口８４ａからプロジェクタ１内への雨滴の進入をより一層抑制することができる。防滴板９５の桟に付着した雨滴は、桟に沿って集滴筒９３の内周面に流れ落ち、集滴筒９３の内周面から排水口９３ａから排水される。一方で、風車９２を通過した空気は、防滴板９５の格子を通過して、吸気口８４ａに流れる。よって、吸気ファン８４ｃによる吸気を妨げることはない。
【００３５】
また、本実施形態では、風車９２により、吸気口８４ａへ向かう空気を、集滴筒９３の内周面に導いているが、集滴筒９３の内周面に向かって空気が流れる構成であれば、風車９２に限られない。また、集滴筒９３の内周面に向かって空気が流れることにより、この空気の流れともに雨滴が、集滴筒９３の内周面に向かって移動するので、集滴筒９３の内周面に雨滴を付着させることができる。
【００３６】
以上に説明したものは一例であり、以下の態様毎に特有の効果を奏する。
（態様１）
態様１の防滴装置９０は、プロジェクタ１などの画像投写装置の吸気口８４ａへ向かう空気が流入する流入口および流入口から流入した空気を吸気口８４ａへ向けて流出させる流出口を有し、吸気口８４ａへ向かう空気とともに移動する雨滴などの水滴を捉える集滴筒９３と、流入口から流入する空気を、集滴筒９３の内周面に導く風車９２などの導風手段とを備え、集滴筒９３の流出口を、吸気口８４ａと対向するように画像投写装置に対して着脱可能なものである。
これによれば、風車９２などの導風手段により、流入口から流入した画像投写装置の吸気口８４ａへ向かう空気が集滴筒９３の内周面へ導かれることにより、吸気口８４ａへ向かう空気とともに吸気口８４ａへ向かう雨滴などの水滴を集滴筒９３の内周面に向かわせることができる。集滴筒９３の内周面に向かった水滴は、集滴筒９３の内周面に付着し内周面に留まる。一方、空気は、集滴筒９３の内周面に沿って吸気口８４ａへ流れ、吸気口８４ａから画像投写装置の内部へ流れ込む。これにより、吸気口８４ａから画像投写装置の内部への空気の取り込みを妨げることなく、水滴の画像投写装置内部への進入を抑制することができる。
【００３７】
（態様２）
態様１において、導風手段は、吸気口８４ａへ流れる気流により回転する風車９２である。
これによれば、実施形態で説明したように、回転する風車９２の羽根で、吸気口８４ａへ流れる空気を集滴筒９３の内周面へ向かわせることができる。
【００３８】
（態様３）
態様２において、風車９２よりも空気の流れ方向上流側に風車９２をガードするガード部９１を設けた。
これによれば、実施形態で説明したように、小石などの進入をガード部９１によりガードすることができ、風車９２が破損するのを防止することができる。
【００３９】
（態様４）
態様１乃至３いずれかにおいて、集滴筒９３は、吸気口８４ａに向かうに連れて、吸気口８４ａと平行な断面積が狭くなる。
これによれば、実施形態で説明したように、集滴筒９３の内周面に雨滴などの水滴を付着しやすくすることができる。
【００４０】
（態様５）
態様１乃至４いずれかにおいて、前記集滴筒９３の下部に排水口９３ａを設けた。
これによれば、実施形態で説明したように、集滴筒９３の内周面に付着して、内周面を流れ落ちてきた雨滴などの水滴を、排水口９３ａから排水することができる。
【００４１】
（態様６）
態様１乃至５いずれかにおいて、風車９２などの導風手段と前記吸気口８４ａとの間に、空気を通す開口部を備えた防滴板９５を設けた。
これによれば、図１１を用いて説明したように、集滴筒９３の内周面に付着しないような雨滴などの水滴を、防滴板９５に付着させることができ、より一層、吸気口８４ａから画像投写装置内部への水滴の進入を抑制することができる。
【００４２】
（態様７）
吸気口８４ａを備え、吸気口８４ａから取り込んだ空気を、装置内部に流して装置内部を空冷するプロジェクタ１などの画像投写装置において、態様１乃至６いずれかの防滴装置９０を有する。
これによれば、吸気口８４ａから画像投写装置内部へ雨滴などの水滴の進入を抑制することができ、装置内部の金属部品が錆びるのを抑制することができる。
【符号の説明】
【００４３】
１      ：プロジェクタ
１０    ：画像生成装置
１１    ：透過ガラス
１２    ：操作部
１３    ：フォーカスレバー
１４    ：光学エンジン
１５    ：ＰＦＣ電源基板装置
１６    ：プリンタ回路基板
１７    ：バラスト電源装置
２０    ：照明装置
２１    ：カラーホイール
２１ａ  ：フィルタ部材
２１ｂ  ：カラーモータ
２２    ：ライトトンネル
２３    ：リレーレンズ
２４    ：シリンダミラー
２５    ：凹面ミラー
２６    ：ＤＭＤ
２７    ：ＯＦＦ光板
４０    ：投写光学装置
４１    ：投写レンズ装置
４２    ：折り返しミラー
４３    ：曲面ミラー
４４    ：防塵ガラス
４５    ：ガラス押さえ部材
４６    ：ミラー押さえ部材
４７    ：ミラーブラケット
４８    ：自由ミラーブラケット
４９    ：自由ミラー押さえ部材
６０    ：光源装置
６１    ：光源
８４ａ  ：吸気口
８４ｂ  ：集塵フィルタ
８４ｃ  ：吸気ファン
９０    ：防滴装置
９１    ：ガード部
９２    ：風車
９３    ：集滴筒
９３ａ  ：排水口
９４    ：筐体
９５    ：防滴板
９６    ：流出口
９７    ：空気取入口
１０１  ：投写面
Ｐ      ：投写画像
【先行技術文献】
【特許文献】
【００４４】
【特許文献１】ＷＯ２０１０／１０９５９５号公報
【図１】
2018157442.tif 000003
【図２】
2018157442.tif 000004
【図３】
2018157442.tif 000005
【図４】
2018157442.tif 000006
【図５】
2018157442.tif 000007
【図６】
2018157442.tif 000008
【図７】
2018157442.tif 000009
【図８】
2018157442.tif 000010
【図９】
2018157442.tif 000011
【図１０】
2018157442.tif 000012
【図１１】
2018157442.tif 000013
【図１２】
2018157442.tif 000014